(57)【要約】【課題】  メガネフレームのフロント部両側に設けているヨロイ部に、ネジやロウ付け工程を用いることなく組付け出来、そしてツルがガタ付くことなく折畳み出来るツル継手構造の提供。【解決手段】  ヨロイ部６の先端部１１をリング状軸受け９の側部を一部切欠いて形成した切欠き空間１２に嵌めると共に先端の係合溝をリング状軸受け９の上下リング部１４，１４に係合し、そして、リング状軸受け９の切欠き空間側に円柱状軸１０を嵌めてヨロイ先端部１１を湾曲させ、この円柱状軸１０に設けた係合穴１７にツル端に設けた両アーム１９，１９を嵌めると共に、アーム先端に形成したツメ２１，２１を軸穴１８に係合している。【選択図】    図３
2011027828.tif 000002
【特許請求の範囲】
【請求項１】
メガネフレームのフロント部両側に設けているヨロイ部にツルを折畳み可能に取付けるツル継手において、ヨロイ部の先端部をリング状軸受けに係合し、そしてリング状軸受けとヨロイ先端部の間に軸を嵌めて該先端部を湾曲させ、この軸にツルを連結したことを特徴とするメガネフレームのツル継手構造。
【請求項２】
メガネフレームのフロント部両側に設けているヨロイ部にツルを折畳み可能に取付けるツル継手において、ツルの先端部をリング状軸受けに係合し、そしてリング状軸受けとツル先端部の間に軸を嵌めて該先端部を湾曲させ、この軸にヨロイを連結したことを特徴とするメガネフレームのツル継手構造。
【請求項３】
メガネフレームのフロント部両側に設けているヨロイ部にツルを折畳み可能に取付けるツル継手において、ヨロイ部の先端部をリング状軸受けの側部を一部切欠いて形成した切欠き空間に嵌めると共に先端を該リング状軸受けに係合し、そして、リング状軸受けの切欠き空間側に軸を嵌めて上記ヨロイ先端部を湾曲させ、この軸に設けた係合穴に切欠き空間から挿入したツル端に設けた両アームを嵌めると共に、アーム先端に形成したツメを軸穴に係合したことを特徴とするメガネフレームのツル継手構造。
【請求項４】
メガネフレームのフロント部両側に設けているヨロイ部にツルを折畳み可能に取付けるツル継手において、ツルの先端部をリング状軸受けの側部に貫通して設けた２個の係合穴に係合し、そしてリング状軸受けと上記先端部の間に軸を嵌めて上記ツル先端部を湾曲させ、リング状軸受けの上下を切欠いた切欠き部にヨロイ部の上下アームを嵌めると共に、上記軸の上下端に形成した係合溝に該軸を挟むようにアーム先端を係合して連結したことを特徴とするメガネフレームのツル継手構造。
【請求項５】
上記ヨロイ先端部に切り込みを設けて上下に分離し、そしてこの先端部をリング状軸受けの切欠き空間側の上下リング部に係合した請求項３記載のメガネフレームのツル継手構造。
【請求項６】
上記フロント部及びツルは薄い金属板を材料として製作した請求項１、請求項２、請求項３、請求項４、又は請求項５記載のメガネフレームのツル継手構造。
【請求項７】
上記軸は概略円柱軸とし、ツルを開いた状態で安定するように曲率半径の大きな安定面を形成した請求項１、請求項２、請求項３、請求項４、請求項５、又は請求項６記載のメガネフレームのツル継手構造。
【発明の詳細な説明】
【技術分野】
【０００１】
本発明はロウ付け工程を必要とせず、何時まで経ってもツルがガタ付くことのないメガネフレームのツル継手構造に関するものである。
【背景技術】
【０００２】
図１０には一般的なメガネフレームを示しているように、フロント部（イ）と２本のツル（ロ）、（ロ）から成り、ツル（ロ）、（ロ）は蝶番（ハ）、（ハ）を介して折畳み出来るように連結している。フロント部（イ）はレンズが嵌る両リム（ニ）、（ニ）が連結部材（ホ）にて左右対称に連結され、リム（ニ）、（ニ）の外側にはヨロイ（ヘ）、（ヘ）がロウ付けされている。上記ツル（ロ）、（ロ）はこのヨロイ（ヘ）、（ヘ）に蝶番（ハ）、（ハ）を介して折畳み出来るように取付けられている。
【０００３】
ところで、メガネフレームには２本のツル（ロ）、（ロ）が備わっていて、継手を介して折畳まれるように成っている。上記蝶番（ハ）、（ハ）は最も代表的な継手であるが、近年のメガネフレームには蝶番以外の継手が採用されている。該蝶番（ハ）はヨロイ（ヘ）とツル（ロ）にロウ付けした蝶片が軸ネジを介して連結した構造としているが、ロウ付け工程が必要になると共に軸ネジが弛むなどしてツル（ロ）はガタ付くことが多い。
【０００４】
特開２００１−１３４６８号に係る「眼鏡の丁番構造」は、眼鏡を構成する２部材を回動自在に結合するための眼鏡の丁番構造であり、部材自体のバネ性を用いずに回動動作に適度な抵抗を与える「あがき」を安定した構造としている。
すなわち、 テンプルの端部に接続された軸受部の外周面にリング状の弾性摺動部材を嵌め込み、軸受部を軸に通した状態で弾性摺動部材は当接部との間で圧縮され、テンプルの回動に伴い摺動抵抗によるあがきを得ることが出来る。
【０００５】
特開２００２−１２２８１９号に係る「眼鏡部品の連結構造」は、スポット溶接やロー付け或いはネジ締めをすることなく簡単かつ円滑にテンプル等を連結できる他、より簡単な構造で経年変化に強く、かつ、テンプルの回動限界位置も正常に保つことができる眼鏡部品の連結構造である。
そこで、智（ヨロイ）の連結部に設けられた環体と、該環体に回動自在に抜け止めされてテンプル（ツル）を支持せしめる突起体とを備えてなる。
【０００６】
特開平９−３２５３０３号に係る「眼鏡フレーム」は、テンプル（ツル）を智（ヨロイ）に丁番なしで“あがき”を持たせて回転可に結合した構造である。
そこで、智（ヨロイ）あるいはテンプル（ツル）の合い口部のいずれか一方にスプリングピンを設けると共にいずれか他方に上記スプリングを回転可に圧接保持するリングを設け、丁番なしで智に対してテンプルを回転可に結合している。スプリングピンは円筒部の一部に軸線方向の切断部を設けた形状であり、リングは、長さ方向の中央部は半円環状の切欠を設けた半円環形状とし、その一外側部は円環形状とすると共に他外側部には所要角度の切欠きをあけてＣ型状とし、該リングの内周面に上記スプリングピンの外周面を所要の摩擦力で圧接させて回転可に組み付けている。
【０００７】
このように、蝶番を使用しないツルの継手構造は色々知られ、基本的にはツルがガタ付かない構造としているが、しかしこれら継手構造は非常に複雑であるため製作誤差に基づくガタを発生することが考えられる。又、組立てに際しては個々の部品をロウ付けしなくてはならない煩わしさもある。
【特許文献１】特開２００１−１３４６８号に係る「眼鏡の丁番構造」
【特許文献２】特開２００２−１２２８１９号に係る「眼鏡部品の連結構造」
【特許文献３】特開平９−３２５３０３号に係る「眼鏡フレーム」
【発明の開示】
【発明が解決しようとする課題】
【０００８】
このように従来のツル継手構造には上記のごとき問題がある。本発明が解決しようとする課題はこれら問題点であり、組み立てに際してネジを用いることなく、又ロウ付け工程がいらず、しかも組立てた継手はガタ付かないシンプルなツル継手構造を提供する。
【課題を解決するための手段】
【０００９】
本発明に係るツル継手構造は、円柱状又は概略円柱状の軸とリング状の軸受けを有し、リング状の軸受けは外周の一部が切欠かれていて、係合穴、切欠き空間、又は切欠き溝を形成している。そして、ヨロイ部の先端に上記リング状軸受けが係合して連結される。ここで、リング状軸受けとは必ずしも円形リングに限るものではない。
【００１０】
ところで、円柱状軸又は概略円柱状軸はリング状軸受けとヨロイ先端部の間に嵌り、この際、ヨロイ先端部は弾性変形して湾曲する。ヨロイ先端部をリング状軸受けに係合する手段は色々あるが、軸が嵌って先端部が湾曲出来るようになればよい。従って、円柱状軸はリング状軸受けとヨロイ先端部とで弾性力が外周面に付勢された状態で挟持される。そしてツルは軸に連結して、該軸の回転にて折畳むことが出来る。ここで、上記ヨロイの先端部ではなくツルの先端部をリング状軸受けに係合し、軸にはヨロイ先端を連結する連結構造とすることも出来る。
【発明の効果】
【００１１】
本発明に係るツル継手構造では、ヨロイ先端部にリング状軸受けが係合して連結し、このリング状軸受けに軸を嵌め、そして、該軸にツルを連結することが出来る。このように、本発明では各部材がロウ付けされることなく連結してツル継手構造を構成することが出来、リング状軸受け、軸、そしてヨロイ部、ツルは独立して別々に製作され、ロウ付けなしに、又ネジ止めなしに組立てることが出来る。
【００１２】
従って、本発明のツル継手構造はシンプルであると共に、製作コストは安くなる。一方、軸はリング状軸受けとヨロイ先端部に挟まれて挟持され、ヨロイ先端部は湾曲変形して軸の外周面に弾性力が付勢される。従って、軸はガタ付くことなく、該軸に連結しているツルの折畳み操作はスムーズに行われる。勿論、ツルの先端部をリング状軸受けに係合し、軸にはヨロイ先端を連結する構造とする場合も、ツル継手構造としての同じ効果が得られる。
【図面の簡単な説明】
【００１３】
【図１】ツル継手構造を備えたメガネフレーム。
【図２】本発明のツル継手構造を示す実施例。
【図３】本発明のツル継手構造の展開図。
【図４】円柱状軸に連結しているツルのアーム。
【図５】本発明のツル継手構造を示す実施例。
【図６】本発明のツル継手構造の展開図。
【図７】ツル端に軸を連結した継手構造の具体例。
【図８】ツル端に軸を連結した継手構造の具体例。
【図９】ツル端に軸を連結した継手構造の具体例。
【図１０】一般的なメガネフレーム。
【発明を実施するための形態】
【００１４】
図１は本発明のツル継手構造を備えたメガネフレームを示す実施例である。同図の１はフロント部、２はツル、３は継手を表し、フロント部１の両側にはツル２，２が取付けられ、ツル２，２は継手３，３を介して折畳み可能と成っている。同図に示すフロント部１は薄い金属板を材料として加工したものである。加工手段は特に限定することはしないが、複数枚の金属板を重ね合わせてワイヤーカット加工したり、又は専用金型を用いてプレス加工することも出来る。
【００１５】
さらにはエンドミルによって切断加工することも可能であり、同一モデルのメガネフレームを数多く製作する場合であれば、金型を用いて打抜き加工する方が好ましい。特に、破断面を残すことなく全周をせん断面にて打抜き加工するには精密打抜き加工（ファインブランキング加工）を採用することで可能となる。一方、ワイヤーカット加工やエンドミル加工は小ロッドに対応できる。
【００１６】
勿論、本発明では同図に示すように薄い金属板を材料として製作する場合に限るものではない。そして、フロント部１はレンズが嵌るリム４，４を有し、両リム４，４は中央の連結部５によって繋がれている。又、フロント部１の両外側にはヨロイ部６，６を設け、該ヨロイ部６，６は上下に分離されている。すなわち、ヨロイ部６，６には切り込みが入っていて、ヨロイ部６，６を切り込みから開くことでリム４，４にレンズを嵌めることが出来る。
【００１７】
又、リム４，４の中央側には脚７，７が延び、該脚７，７の先端に鼻当てパット８，８が取付けられている。そして、ヨロイ部６の先端にはリング状軸受け９が取付けられ、このリング状軸受け９には円柱状軸１０が嵌っている。ツル２はこの円柱状軸１０に連結していて、ツル２を折畳む時には上記円柱状軸１０は回転することが出来る。
【００１８】
ここで、ヨロイ部６の先端は、リング状軸受け９と連結し、切り込みが開いてリムに嵌ったレンズが外れないように成っている。従って、従来のメガネフレームに備わっているリムロックは不要となる。そして、リング状軸受け９に嵌った円柱状軸１０はヨロイ先端部１１を湾曲変形し、その結果、円柱状軸１０の外周面にバネ力が付勢され、円柱状軸１０はガタ付くことなく回転することが出来る。
【００１９】
図２は本発明に係る継手３を示す拡大図であり、リング状軸受け９の内部には円柱状軸１０とヨロイ部６の先端部１１が嵌っている。該ヨロイ部６の先端部１１は湾曲しているが、継手３を構成する前はストレートに延びている部材であったり、又は円柱状軸１０が馴染み易いように前以て僅かに湾曲させることもある。リング状軸受け９に形成した切欠き空間に嵌めると共に、円柱状軸１０をリング状軸受け９に嵌入することで、先端部１１は同図のように湾曲する。勿論、湾曲の度合いは限定するものではない。そして、ツル２は耳に掛けることが出来るように、所定の開き度にてリング状軸受け９から突出した先端３６に当って停止する。
【００２０】
図３は本発明の継手の展開図を示している。リング状軸受け９は所定の半径を有すリング体であるが、側面の一部が切欠かれて切欠き空間１２を形成し、この切欠き空間１２にヨロイ部６の先端部１１が挿入される。ヨロイ部６の先端部１１がリング状軸受け９の切欠き空間１２の上・下のリング部１４，１４に嵌ることで切り込み１５が開くことはなく、その結果、リム４に嵌っているレンズは外れない。
【００２１】
このように、切欠き空間１２に先端部１１を嵌め、この状態で円柱状軸１０を切欠き空間１２が形成されている上・下のリング部１４，１４の側に挿入する。この場合、ヨロイ部６の先端部１１は切欠き空間１２の底１６，１６に当り、前記図２に示すように滑らかに湾曲変形する。
【００２２】
円柱状軸１０はリング状軸受け９とほぼ同じ高さである為に、両リング部１４，１４に当って支持され、同時に先端部１１の湾曲変形に伴う弾性力が円柱状軸１０の外周面に付勢される。従って、円柱状軸１０は常にバネ力が付勢された状態で支持される為に、ガタ付くことなく安定した回転が確保される。
【００２３】
ところで、円柱状軸１０の外周には軸方向に延びる細長い係合穴１７が設けられ、該係合穴１７は中心軸方向へ延びている。そして、上端から下端にかけて軸穴１８が軸に平行に設けられ、該軸穴１８は円柱状軸１０の内部で係合穴１７と交差している。ツル２の端には２本のアーム１９，１９が延びると共に間には隙間２０が形成され、そして、アーム先端にはツメ２１，２１が上側と下側へ突出している。
【００２４】
ツル２は円柱状軸１０に連結するが、アーム先端に形成したツメ２１，２１を係合穴１７に嵌め、この場合、両アーム１９，１９を圧縮することで隙間２０を縮めて嵌めることが出来る。ツメ２１，２１の上下先端面をテーパー面とすることで、両ツメ２１，２１を係合穴１７に押圧するならば隙間２０が縮まって両ツメ２１，２１は係合穴１７に嵌り、そして軸内部で交差している軸穴１８に係合することで抜けないように固定される。
【００２５】
図４は円柱状軸１０にツル２が取付けられている場合であり、両アーム１９，１９は係合穴１７に嵌り、先端のツメ２１，２１は軸穴１８に係合している。ここで、両アーム１９，１９の高さ寸法Ｈ１は係合穴１７の高さ寸法Ｈ２より僅かに大きく成っている。従って、係合穴１７に嵌入した両アーム１９，１９は内側に縮められた状態となり、ツル２はガタ付くことなく円柱状軸１０に連結される。
【００２６】
そして、係合穴１７に嵌ったアーム１９，１９は先端のツメ２１，２１が軸穴１８に達すると同時に外方向（上下方向）に拡張して係合する。従って、軸穴１８にツメ２１，２１が係合することでアーム１９，１９は係合穴１７から抜けることはない。ところで、図３に示す実施例のヨロイ部６は間に切り込みを形成しているが、リムロックを備えたメガネフレームであればヨロイ部６に切り込みを入れる必要はない。そして、一般に円柱状軸１０は耐摩耗性に優れた樹脂材が一般に用いられるが、その他の材質でも構わない。
【００２７】
図５は本発明のツル継手構造を示す他の実施例である。基本構造は前記図２に示すツル継手構造と共通しているが、軸２２は完全な円形断面でなく概略円形断面としている。すなわち、軸２２の一部には大きな曲率半径にて滑らかに湾曲し、中心からの距離を小さくした安定面２３を有している。従って、安定面２３に係合する場合がヨロイ６の先端部１１の湾曲度合いが小さくなる為に、この位置でツル２の向きは安定する。
【００２８】
例えば、該ツル２を外方向へ僅かに押し開く場合、軸２２が回転して先端部１１は安定面２３から離れて湾曲度が大きくなり、付勢される弾性力の増大によってツル２は元の位置に押し戻される。すなわち、従来のバネ蝶番と同じ機能を発揮することが出来る。同じように、ツル２を折り畳んだ状態でツル２がバタ付かないように軸２２の断面形状を一部変更することも可能である。
【００２９】
図６は本発明に係るツル継手構造を示す別形態の展開図である。リング状軸受け２４は所定の半径を有すリング体であるが、側面には細長い２個の係合穴２７，２７を貫通して設け、この係合穴２７，２７にはツル２の先端部２８，２８を挿入して係合することが出来る。その為に、両先端部２８，２８の間には隙間２９を有し、両先端部２８，２８を内側に圧縮した状態で挿入し、嵌めた状態で外方向へ拡張して安定する。すなわち、両先端部２８，２８は係合穴２７，２７に嵌った状態で僅かに圧縮されている状態で係合している。
【００３０】
そして、リング状軸受け２４と先端部２８，２８の間に円柱状軸３０を嵌めるならば、先端部２８，２８は湾曲して円柱状軸３０に弾性力が付勢される。勿論、該先端部２８，２８は必ずしもストレートに限るものではなく、円柱状軸３０が馴染み易いように前以て多少湾曲させておく場合もある。そして、この円柱状軸３０にヨロイ部６が連結して本発明のツル継手構造が構成される。リング状軸受け２４の側面の一部上下端が切欠かれて切欠き部２５，２５を形成し、この切欠き部２５，２５にヨロイ部先端のアーム２６，２６が嵌る。
【００３１】
そして、アーム２６先端は円柱状軸３０の上下端に設けた係合溝３１，３１に係合して円柱状軸３０を挟み込むように連結される。この継手構造では、ヨロイ先端に連結した円柱状軸３０が停止し、該円柱状軸３０を中心としてリング状軸受け２４が回転し、そしてリング状軸受け２４の係合穴２７，２７に嵌って連結しているツル２が折畳まれる。ツル２は耳に掛けることが出来るように所定の開き度にてリング状軸受け２４から突出した先端３６に当接して停止することが出来る。
【００３２】
図７はツル端に軸３１を一体化して設けている実施例である。その為に、該軸３１とツル端との間には僅かな隙間３２を形成し、この隙間３２にリング状軸受け９のリングが嵌るようになる。図８はツル端にアーム３３を介して軸３１を連結して設けた他の実施例であり、ツル端から延びる上記アーム３３がリング状軸受け９のリング部１４を通過して組立できるように開口３４を設けている。さらに図９は軸３１とツル２の他の連結形態であり、アーム３３の先端にリング３５を形成し、該リング３５に軸３１を嵌めて連結することが出来る。ところで、実施例で示している軸とツルとの連結構造はあくまでも具体例に過ぎず、その他の構造とすることも可能である。
【符号の説明】
【００３３】
１  フロント部
２  ツル
３  継手
４  リム
５  連結部
６  ヨロイ部
７  脚
８  鼻当てパット
９  リング状軸受け
10  円柱状軸
11  先端部
12  切欠き空間
14  リング部
15  切り込み
16  底
17  係合穴
18  軸穴
19  アーム
20  隙間
21  ツメ
22  軸
23  安定面
24  リング状軸受け
25  切欠き部
26  アーム
27  係合穴
28  先端部
29  隙間
30  円柱状軸
31  軸
32  隙間
33  アーム
34  開口
35  リング
36  先端
【図１】
2011027828.tif 000003
【図２】
2011027828.tif 000004
【図３】
2011027828.tif 000005
【図４】
2011027828.tif 000006
【図５】
2011027828.tif 000007
【図６】
2011027828.tif 000008
【図７】
2011027828.tif 000009
【図８】
2011027828.tif 000010
【図９】
2011027828.tif 000011
【図１０】
2011027828.tif 000012